【手続補正書】
【提出日】平成22年4月26日(2010.4.26)
【手続補正１】
【補正対象書類名】特許請求の範囲
【補正対象項目名】全文
【補正方法】変更
【補正の内容】
【特許請求の範囲】
【請求項１】
複数の移動端末がコア網に接続する無線基地局を介して通信を行う移動通信システムにおいて、
前記各移動端末は、前記無線基地局を介してコア網に接続するための第１の通信機能部と、複数の移動端末間で直接通信を行うための第２の通信機能部とを備え、 
前記第１の通信機能部を使用して無線基地局と接続中の移動端末が、前記第２の通信機能部を使用した移動端末間の直接通信により周辺の移動端末から収集した該周辺の移動端末の識別情報を含む所定の情報を前記接続中の無線基地局を介してコア網に通知することを特徴とする移動通信システム。
【請求項２】
前記所定の情報には、前記周辺の移動端末が保持する在圏セルの情報が含まれることを特徴とする請求項１記載の移動通信システム。
【請求項３】
前記無線基地局と接続中の移動端末は、自局と該無線基地局との間の通信品質に係る情報を移動端末間の直接通信用電波で報知すると共に、該移動端末間の直接通信用報知電波を受信した前記周辺の移動端末は、前記無線基地局との通信品質が最良の移動端末に対して自局の識別情報を含む所定の情報を通知することを特徴とする請求項２記載の移動通信システム。
【請求項４】
前記無線基地局と接続中の移動端末は、所定の情報を移動端末間の直接通信用電波で報知すると共に、該移動端末間の直接通信用電波を受信した前記周辺の移動端末は、自局における移動端末間の直接通信用電波の受信出力が最大の移動端末に対して自局の識別情報を含む所定の情報を通知することを特徴とする請求項２記載の移動通信システム。
【請求項５】
前記無線基地局と接続中の移動端末から通知された周辺の移動端末の識別情報を含む所定の情報を前記コア網に接続する位置登録装置で管理すると共に、該コア網に接続する中継装置は、自局が受信したページングメッセージの着信先移動端末の情報を前記位置登録装置に問い合わせ、該着信先移動端末の在圏セルの情報が検出された場合は、該在圏セルの情報を指定したページングメッセージを必要最小限のルートにのみ中継することを特徴とする請求項２記載の移動通信システム。
【請求項６】
前記無線基地局と接続中の移動端末から通知された周辺の移動端末の識別情報を含む所定の情報を無線ネットワーク制御装置で管理すると共に、自局が受信したページングメッセージの着信先移動端末の情報で前記管理情報を検索し、該着信先移動端末の在圏セルの情報が検出された場合は、該在圏セルの情報を指定したページングメッセージを必要最小限のルートにのみ中継することを特徴とする請求項２記載の移動通信シ
ステム。
【請求項７】
前記第１の通信機能部を使用して無線基地局と接続中の移動端末が、前記第２の通信機能部を使用した移動端末間の直接通信により周辺の移動端末との間でリンクを形成する共に、該周辺の移動端末が第２の通信機能部を使用してコア網との間でやり取りする発／着信シーケンスの信号を前記無線基地局と接続中の移動端末が前記第１，第２の通信機能部を使用して中継することを特徴とする請求項２記載の移動通信システム。
【請求項８】
複数の移動端末がコア網に接続する無線基地局を介して通信を行う移動通信システムの前記移動端末装置において、
前記無線基地局を介してコア網に接続するための第１の通信機能部と、
複数の移動端末間で直接通信を行うための第２の通信機能部と、
前記第１の通信機能部を使用して前記無線基地局と接続中に、前記第２の通信機能部を使用した移動端末間の直接通信により周辺の移動端末から該周辺の移動端末の識別情報を含む所定の情報を収集し、該収集した情報を前記第１の通信機能部を使用して接続中の無線基地局を介してコア網に通知する制御部と、
を備えることを特徴とする移動端末装置。
【手続補正２】
【補正対象書類名】明細書
【補正対象項目名】０００２
【補正方法】変更
【補正の内容】
【０００２】
図１３，図１４は従来技術を説明する図で、図１３（ａ）に第３世代（３ＧＰＰ）移動通信システムのネットワーク構成を示す。この移動通信システムは、上位のコア網(ＣＮ:Core Network)と、無線ネットワーク制御装置（ＲＮＣ：Radio Network Controller）と
、無線基地局（Node B）と、移動端末（ＵＥ：User Equipment）とから構成される。また、ＣＮ配下の複数のＲＮＣと、その配下の複数のノードＢとで構成されるネットワークをＵＴＲＡＮ(UMTS Terrestrial Radio Access Network)と称す。
【手続補正３】
【補正対象書類名】明細書
【補正対象項目名】０００４
【補正方法】変更
【補正の内容】
【０００４】
図１３（ｂ）に無線サービスエリアのイメージを示す。図において、ＭＳＣ（Mobile Switching Center）はコア網の中継装置、ＬＡ(Location Area）は音声（ＣＳ）呼の管理
エリア、ＲＡ(Routing Area）はパケット（ＰＳ）呼の管理エリア、ＵＲＡはセルの集合
体、ＳＧＳＮ（Serving GPRS Support Node）は加入者（在圏）ノードをそれぞれ表す。ここで言うセルとはノードＢが管理している無線サービスエリアである。ＳＧＳＮは在圏する移動端末の加入者情報（提供可能なＱｏＳサービスクラス，接続可能な移動先情報，認証情報等）を管理している。
【手続補正４】
【補正対象書類名】明細書
【補正対象項目名】００１６
【補正方法】変更
【補正の内容】
【００１６】
本発明の第１の態様による移動通信システムは、複数の移動端末がコア網に接続する無線基地局を介して通信を行う移動通信システムにおいて、前記各移動端末は、前記無線基地局を介してコア網に接続するための第１の通信機能部と、複数の移動端末間で直接通信（例えば実施例におけるアドホック通信に相当）を行うための第２の通信機能部とを備え、前記第１の通信機能部を使用して無線基地局と接続中の移動端末（以下、代替端末とも称す）が、前記第２の通信機能部を使用した移動端末間の直接通信により周辺の移動端末（以下、周辺端末とも称す）から収集した該周辺の移動端末の識別情報（例えば実施例におけるＩＤ情報に相当）を含む所定の情報を前記接続中の無線基地局を介してコア網に通知するものである。
【手続補正５】
【補正対象書類名】明細書
【補正対象項目名】００１７
【補正方法】変更
【補正の内容】
【００１７】
本発明では、周辺にコア網でその居場所を認識されないようなアイドル状態等の任意周辺端末がいても、既に無線基地局と接続中（通信中）の代替端末が直接通信により該周辺端末の識別情報等を収集してコア網に通知するため、新たに無線リソースを確保せずとも既に確保されている無線リソース（通信チャネル）を有効に活用できる。一方、コア網では無駄な無線リソースを使用せずに任意アイドル端末の存在位置をセル単位で把握可能となるため、従来、ページングなど広範囲に送信しなければならなかったようなデータをアイドル端末が在圏するセルにのみ送信することが可能となる。
【手続補正６】
【補正対象書類名】明細書
【補正対象項目名】００１８
【補正方法】変更
【補正の内容】
【００１８】
なお、上記周辺端末の識別情報を含む所定の情報には、該周辺端末の在圏位置情報が含まれていない場合もある。この場合でも、コア網では、少なくとも当該周辺端末の位置情報を代替端末の在圏位置と同一（又はその周辺）であると認識できるため、このような周辺端末に対するページングを直接的に又は代替端末を介して間接的に効率よく行えることになる。
【手続補正７】
【補正対象書類名】明細書
【補正対象項目名】００２０
【補正方法】変更
【補正の内容】
【００２０】
本発明の第３の態様では、前記無線基地局と接続中の移動端末は、自局と該無線基地局との間の通信品質に係る情報を移動端末間の直接通信用電波で報知すると共に、該移動端末間の直接通信用報知電波を受信した前記周辺の移動端末は、前記無線基地局との通信品質が最良の移動端末に対して自局の識別情報を含む所定の情報を通知する。従って、この場合の周辺端末は無線基地局とより良い通信品質で通信を行っている代替端末と接続できる。
【手続補正８】
【補正対象書類名】明細書
【補正対象項目名】００２１
【補正方法】変更
【補正の内容】
【００２１】
本発明の第４の態様では、前記無線基地局と接続中の移動端末は、所定の情報を移動端末間の直接通信用電波で報知すると共に、該移動端末間の直接通信用電波を受信した前記周辺の移動端末は、自局における移動端末間の直接通信用電波の受信出力が最大の移動端末に対して自局の識別情報を含む所定の情報を通知する。従って、この場合の周辺端末は自局とより良い無線環境で移動端末間の直接通信ができる代替端末と接続できる。
【手続補正９】
【補正対象書類名】明細書
【補正対象項目名】００２２
【補正方法】変更
【補正の内容】
【００２２】
本発明の第５の態様では、前記無線基地局と接続中の移動端末から通知された周辺の移動端末の識別情報を含む所定の情報を前記コア網に接続する位置登録装置で管理すると共に、該コア網に接続する中継装置は、自局が受信したページングメッセージの着信先移動端末の情報を前記位置登録装置に問い合わせ、該着信先移動端末の在圏セルの情報が検出された場合は、該在圏セルの情報を指定したページングメッセージを必要最小限のルートにのみ中継する。従って、コア網に与えるページングメッセージの中継負担を大幅に緩和できる。
【手続補正１０】
【補正対象書類名】明細書
【補正対象項目名】００２３
【補正方法】変更
【補正の内容】
【００２３】
本発明の第６の態様では、前記無線基地局と接続中の移動端末から通知された周辺の移動端末の識別情報を含む所定の情報を無線ネットワーク制御装置で管理すると共に、自局が受信したページングメッセージの着信先移動端末の情報で前記管理情報を検索し、該着信先移動端末の在圏セルの情報が検出された場合は、該在圏セルの情報を指定したページングメッセージを必要最小限のルートにのみ中継する。従って、コア網に与えるページングメッセージの中継負担を大幅に緩和できる。
【手続補正１１】
【補正対象書類名】明細書
【補正対象項目名】００２４
【補正方法】変更
【補正の内容】
【００２４】
本発明の第７の態様では、前記第１の通信機能部を使用して無線基地局と接続中の移動端末が、前記第２の通信機能部を使用した移動端末間の直接通信により周辺の移動端末との間でリンクを形成する共に、該周辺の移動端末が第２の通信機能部を使用してコア網との間のでやり取りする発／着信シーケンスの信号を前記無線基地局と接続中の移動端末が前記第１，第２の通信機能部を使用して中継するものである。従って、無線基地局と接続中の移動端末を利用した位置登録のみならず、周辺端末の発／着信処理を中継することで
、無線リソースの利用範囲が更に広がる。
【手続補正１２】
【補正対象書類名】明細書
【補正対象項目名】００２５
【補正方法】変更
【補正の内容】
【００２５】
本発明の第８の態様による移動端末装置は、複数の移動端末がコア網に接続する無線基地局を介して通信を行う移動通信システムの前記移動端末装置において、前記無線基地局を介してコア網に接続するための第１の通信機能部と、複数の移動端末間でアドホック通信を行うための第２の通信機能部と、前記第１の通信機能部を使用して前記無線基地局と接続中に、前記第２の通信機能部を使用した移動端末間の直接通信により周辺の移動端末から該周辺の移動端末の識別情報を含む所定の情報を収集し、該収集した情報を前記第１の通信機能部を使用して接続中の無線基地局を介してコア網に通知する制御部と、を備えるものである。